(57)【特許請求の範囲】
【請求項１】
下部ケーシング及び上部ケーシングを含む装置本体と、
前記下部ケーシングに対して軸方向に沿って移動自在に支持される滑り筒と、
前記上部ケーシングに対して軸方向に沿って移動自在に支持されると共に前記滑り筒と一体に移動するピストンと、
前記滑り筒を移動させるカムと、
前記上部ケーシングに設けられて前記装置本体に作動油を供給する作動油供給部と、
前記上部ケーシングに設けられて前記ピストンの移動により前記作動油供給部から供給された作動油の一部を圧縮する圧縮室と、
前記上部ケーシングに設けられて前記作動油供給部から前記圧縮室に前記作動油の一部を供給する第１作動油供給経路と、
前記上部ケーシングから前記下部ケーシングを介して前記滑り筒まで設けられて前記作動油供給部から前記カムに前記作動油の一部を供給する第２作動油供給経路と、
を備え、
前記第２作動油供給経路は、前記上部ケーシング及び前記下部ケーシングに軸方向に沿って設けられる経路と、前記滑り筒の外周部に設けられる経路と、を有する、
ことを特徴とする動弁装置。
【請求項２】
前記上部ケーシングは、カム軸箱の上部に設けられ、前記カム軸箱の側面に前記カムと連通する開口部が設けられ、前記作動油供給部に前記作動油を供給するための作動油供給配管が前記開口部より上方に配置されることを特徴とする請求項１に記載の動弁装置。
【請求項３】
前記第１作動油供給経路は、前記作動油供給部から前記圧縮室への前記作動油の流れを許容して前記圧縮室から前記作動油供給部への前記作動油の流れを禁止する逆止弁が設けられ、前記第１作動油供給経路における前記圧縮室と前記逆止弁との間に前記圧縮室で圧縮した前記作動油を吐出する作動油吐出部が連通されることを特徴とする請求項１または請求項２に記載の動弁装置。
【請求項４】
前記第２作動油供給経路は、前記上部ケーシングに軸方向に沿って設けられて上端部が前記作動油供給部に連通して下端部が前記下部ケーシング側に開口する上部供給経路と、前記下部ケーシングに軸方向に沿って設けられて上端部が前記上部ケーシング側に開口することで前記上部供給経路に連通する下部供給経路と、前記下部供給経路と連通する前記滑り筒の外周部に設けられる経路とを有し、前記外周部に設けられる経路が前記カムに向けて開口するように形成されることを特徴とする請求項１から請求項３のいずれか一項に記載の動弁装置。
【請求項５】
前記滑り筒は、外周面に軸方向に沿うキー溝が設けられ、前記下部ケーシングに固定されたキーが前記キー溝に挿入され、前記下部ケーシングにおける前記第２作動油供給経路は、前記キー溝及び前記キー内に設けられた連通溝を備えることを特徴とする請求項１から請求項４のいずれか一項に記載の動弁装置。
【請求項６】
請求項１から請求項５のいずれか一項の動弁装置が適用される下部動弁装置と、
前記下部動弁装置からの作動油により排気弁を駆動する上部動弁装置と、
を備えることを特徴とするクロスヘッド式内燃機関。
【発明の詳細な説明】
【技術分野】
【０００１】
本発明は、ディーゼルエンジンやガスエンジンなどの内燃機関にて、排気弁を駆動するための動弁装置、この動弁装置を備えるクロスヘッド式内燃機関に関するものである。
【背景技術】
【０００２】
クロスヘッド式内燃機関において、排気弁を開閉する動弁装置は、下部動弁装置と上部動弁装置を備えている。動弁装置は、下部動弁装置で圧縮した作動油を上部動弁装置へ供給し、伝達された作動油の駆動力を用いて排気弁を空気ばねの付勢力に抗して押し下げ、閉止状態にある排気弁を開閉するものである。この下部動弁装置は、ケーシング内にばねにより下方に付勢された滑り筒が上下方向に沿って移動自在に支持されている。そして、この滑り筒は、カムにより押し上げられることでピストンを上昇させ、作動油を圧縮して供給可能となっている。
【０００３】
従来の動弁装置としては、例えば、下記特許文献１に記載されたものがある。
【先行技術文献】
【特許文献】
【０００４】
【特許文献１】特開２０１５−０９８７９５号公報
【発明の概要】
【発明が解決しようとする課題】
【０００５】
上述した下部動弁装置にて、回転するカムは、カム部がローラを介して滑り筒を押し上げることから、このカムとローラとの摺動面に対して潤滑油を供給する必要がある。従来、上部動弁装置へ供給して排気弁を駆動するために使用される作動油の一部が潤滑油としてカムやローラに供給されていた。即ち、外部から作動油（潤滑油）を供給する配管を滑り筒やカムなどが収容されるカム軸箱内を通して設けると共に、外部から作動油を供給する配管をピストンが収容されるシリンダに接続していた。そのため、複数の配管が必要となり、構造が複雑になると共に、製造コストが増加してしまうという課題がある。
【０００６】
本発明は、上述した課題を解決するものであり、構造の簡素化を図る動弁装置及びクロスヘッド式内燃機関を提供することを目的とする。
【課題を解決するための手段】
【０００７】
上記の目的を達成するための本発明の動弁装置は、下部ケーシング及び上部ケーシングを含む装置本体と、前記下部ケーシングに対して軸方向に沿って移動自在に支持される滑り筒と、前記上部ケーシングに対して軸方向に沿って移動自在に支持されると共に前記滑り筒と一体に移動するピストンと、前記滑り筒を移動させるカムと、前記上部ケーシングに設けられて前記装置本体に作動油を供給する作動油供給部と、を備え、前記上部ケーシングに、前記ピストンの移動により前記作動油供給部から供給された作動油の一部を圧縮する圧縮室と、前記作動油供給部から前記圧縮室に前記作動油の一部を供給する第１作動油供給経路と、前記作動油供給部から前記下部ケーシングに前記作動油の他部を供給する第２作動油供給経路と、が形成されることを特徴とするものである。
【０００８】
従って、カムが回転すると、滑り筒がカムの回転力により軸方向に往復移動し、ピストンが滑り筒と一体に往復移動する。すると、作動油供給部から第１作動油供給経路を通して圧縮室に供給された作動油が圧縮されて吐出される。また、作動油供給部から第２作動油供給経路を通して供給された作動油がカムに供給され、カムが潤滑される。ここで、一つの作動油供給部から圧縮室に作動油を供給する第１作動油供給経路を設けると共に、カムに作動油を供給する第２作動油供給経路を設けることで、作動油供給部への配管構成が簡素化され、また、装置本体に対する油路の加工も簡素化され、その結果、構造の簡素化を図ることができる。
【０００９】
本発明の動弁装置では、前記上部ケーシングは、カム軸箱の上部に設けられ、前記カム軸箱の側面に前記カムと連通する開口部が設けられ、前記作動油供給部に前記作動油を供給するための作動油供給配管が前記開口部より上方に配置されることを特徴としている。
【００１０】
従って、作動油供給部に作動油を供給するための作動油供給配管を開口部より上方に配置することで、作動油供給配管が開口部からカムに対する各種作業をする作業者の邪魔になることはなく、作業性を向上することができる。
【００１１】
本発明の動弁装置では、前記第１作動油供給経路は、前記作動油供給部から前記圧縮室への前記作動油の流れを許容して前記圧縮室から前記作動油供給部への前記作動油の流れを禁止する逆止弁が設けられ、前記第１作動油供給経路における前記圧縮室と前記逆止弁との間に前記圧縮室で圧縮した前記作動油を吐出する作動油吐出部が連通されることを特徴としている。
【００１２】
従って、作動油が作動油供給部に供給されると、第１作動油供給経路を通して圧縮室に供給され、ピストンの上昇時に圧縮室で作動油が圧縮され、作動油吐出部から吐出される。このとき、第１作動油供給経路に逆止弁が設けられることで、圧縮室で圧縮された作動油が作動油供給部に逆流することはなく、作動油吐出部から適正に吐出させることができる。
【００１３】
本発明の動弁装置では、前記第２作動油供給経路における前記下部ケーシング側の開口部は、前記下部ケーシングにおける作動油供給経路に接続されており、前記下部ケーシングにおける作動油供給経路は、前記下部ケーシングに軸方向に沿って設けられて上端部が前記上部ケーシング側に開口すると共に、下端部が前記カムに向けて開口するように形成されることを特徴としている。
【００１４】
従って、第２作動油供給経路として、上部ケーシングの上部供給経路と下部ケーシングの下部供給経路を設けることで、装置本体に形成する供給経路を簡素化することができる。
【００１５】
本発明の動弁装置では、前記滑り筒は、外周面に軸方向に沿うキー溝が設けられ、前記下部ケーシングに固定されたキーが前記キー溝に挿入され、前記下部ケーシングにおける作動油供給経路は、前記キー溝及び前記キー内に設けられた連通溝を備えることを特徴としている。
【００１６】
従って、下部ケーシングに固定されたキーを滑り筒のキー溝に挿入することで、容易に滑り筒の回り止めを行うことができ、下部供給経路としてキー溝及びキー内の連通溝を設けることで、構造を簡素化することができる。
【００１７】
また、本発明のクロスヘッド式内燃機関は、前記動弁装置が適用される下部動弁装置と、前記下部動弁装置からの作動油により排気弁を駆動する上部動弁装置と、を備えることを特徴とするものである。
【００１８】
従って、下部動弁装置にて、カムが回転すると、滑り筒がカムの回転力により軸方向に往復移動し、ピストンが滑り筒と一体に往復移動する。すると、作動油供給部から第１作動油供給経路を通して圧縮室に供給された作動油が圧縮されて吐出される。また、作動油供給部から第２作動油供給経路を通して供給された作動油がカムに供給され、カムが潤滑される。ここで、一つの作動油供給部から圧縮室に作動油を供給する第１作動油供給経路を設けると共に、カムに作動油を供給する第２作動油供給経路を設けることで、作動油供給部への配管構成が簡素化され、また、装置本体に対する油路の加工も簡素化され、その結果、構造の簡素化を図ることができる。
【発明の効果】
【００１９】
本発明の動弁装置及びクロスヘッド式内燃機関によれば、構造の簡素化を図ることができる。
【図面の簡単な説明】
【００２０】
【図１】図１は、本実施形態の下部動弁装置を表す断面図である。
【図２】図２は、下部動弁装置における滑り筒を表す断面図である。
【図３】図３は、滑り筒の右側面図である。
【図４】図４は、滑り筒の左側面図である。
【図５】図５は、滑り筒の水平断面を表す図２のＶ−Ｖ断面図である。
【図６】図６は、下部動弁装置を表す正面図である。
【図７】図７は、ディーゼルエンジンを表す概略図である。
【図８】図８は、本実施形態の動弁装置を表す概略図である。
【発明を実施するための形態】
【００２１】
以下に添付図面を参照して、本発明に係る動弁装置及びクロスヘッド式内燃機関の好適な実施形態を詳細に説明する。なお、この実施形態により本発明が限定されるものではなく、また、実施形態が複数ある場合には、各実施形態を組み合わせて構成するものも含むものである。
【００２２】
図７は、ディーゼルエンジンを表す概略図である。
【００２３】
本実施形態にて、図７に示すように、ディーゼルエンジン１０は、例えば、船舶推進用の主機として用いられ、２ストローク１サイクルのユニフロー掃気方式のクロスヘッド式内燃機関である。このディーゼルエンジン１０は、下方に位置する台板１１と、台板１１上に設けられる架構１２と、架構１２上に設けられるシリンダジャケット１３とを備えている。この台板１１と架構１２とシリンダジャケット１３は、上下方向に延在する複数のテンションボルト１４及びナット１５により一体に締結されて固定されている。
【００２４】
シリンダライナ１６とシリンダカバー１７は、空間部を区画しており、この空間部内にピストン１８が上下に往復動自在に設けられることで、燃焼室１９が形成される。また、シリンダカバー１７は、排気弁２０が設けられており、動弁装置２１により開閉可能となっている。この排気弁２０は、燃焼室１９と排気管２２とを開閉するものである。ここで、シリンダジャケット１３とシリンダライナ１６とシリンダカバー１７により燃焼装置が構成されている。
【００２５】
そのため、燃焼室１９に対して、図示しない燃料噴射ポンプから供給された燃料（例えば、低質油、天然ガス、またはその混合燃料）と、図示しない圧縮機により圧縮された燃焼用ガス（例えば、空気、ＥＧＲガス、またはその混合ガス）が供給されることで燃焼する。そして、この燃焼で発生したエネルギによりピストン１８が上下動する。また、このとき、排気弁２０により燃焼室１９が開放されると、燃焼によって生じた排ガスが排気管２２に押し出される一方、図示しない掃気ポートから燃焼用ガスが燃焼室１９に導入される。
【００２６】
ピストン１８は、下端部にピストン棒２３の上端部が連結されている。台板１１は、クランクケースを構成しており、クランクシャフト２４を回転自在に支持する軸受２５が設けられている。また、クランクシャフト２４は、クランク２６を介して連接棒２７の下端部が回動自在に連結されている。架構１２は、上下方向に延在する一対のガイド板２８が所定間隔を空けて固定されており、一対のガイド板２８の間にクロスヘッド２９が上下に移動自在に支持されている。クロスヘッド２９は、ピストン棒２３の下端部と連接棒２７の上端部がそれぞれ連結されている。
【００２７】
そのため、燃焼室１９からエネルギが伝達されたピストン１８は、ピストン棒２３と共に、ディーゼルエンジン１０の設置面の方向（台板１１側の方向、即ち、鉛直方向における下向き）に押し下げる。すると、ピストン棒２３は、クロスヘッド２９を同方向に押し下げ、連接棒２７及びクランク２６を介してクランクシャフト２４を回転させる。
【００２８】
図８は、本実施形態の動弁装置を表す概略図である。
【００２９】
動弁装置２１は、図８に示すように、下部動弁装置３１と上部動弁装置３２を備えている。動弁装置２１は、下部動弁装置３１で圧縮した作動油を上部動弁装置３２へ供給し、伝達された作動油の駆動力を用いて排気弁２０を押し下げ、閉止状態にある排気弁２０を開閉するものである。
【００３０】
上部動弁装置３２にて、排気弁２０は、軸部２０ａと傘部２０ｂとから構成され、シリンダカバー１７に固定されたケーシング３３に移動自在に支持されている。上部動弁装置３２は、空気ばね３４の付勢力が軸部２０ａを上方に向けて作用することで、排気弁２０により燃焼室１９と排気管２２との間を閉止している。また、上部動弁装置３２は、空気ばね３４に加えて、下部動弁装置３２から供給される作動油を受け入れるシリンダ部３５と、このシリンダ部３５内に移動自在に設けられたピストン３６を備えている。このピストン３６は、軸部２０ａの上端部に一体に固定されることで、排気弁２０と一体に上下動する。
【００３１】
下部動弁装置３１は、ケーシング（下部ケーシング、装置本体）４１内に滑り筒４２が上下方向（軸方向）に沿って移動自在に支持されており、この滑り筒４２は、圧縮コイルばね４３の付勢力により下方に付勢支持されている。ケーシング４１は、上部にシリンダ部（上部ケーシング、装置本体）４４が設けられ、両者が図示しない複数のボルトにより締結されている。滑り筒４２は、下端部にローラ（ローラ部）４５が回転自在に設けられる一方、上端部にピストン４６が連結され、このピストン４６がシリンダ部４４内で上下方向（軸方向）に沿って移動自在に設けられている。一方、ケーシング４１は、滑り筒４２の下方に、ローラ４５に接触するカム４７が配置されている。このカム４７は、クランクシャフト２４（図７参照）に同期して回転する。そして、下部動弁装置３１のシリンダ部４４と上部動弁装置３２のシリンダ部３５が作動油配管４８により接続されている。
【００３２】
そのため、下部動弁装置３１にて、回転するカム４７によりローラ４５を介して滑り筒４２が押し上げられると、ピストン４６がシリンダ部４４内の作動油を圧縮する。すると、シリンダ部４４内で圧縮された作動油が作動油配管４８を通して上部動弁装置３２へ供給される。上部動弁装置３２にて、作動油がシリンダ部３５に供給されると、ピストン３６が押し下げられ、排気弁２０が空気ばね３４の付勢力に抗して下降し、閉止状態にある燃焼室１９と排気管２２を連通する。
【００３３】
以下、下部動弁装置３１について詳細に説明する。図１は、本実施形態の下部動弁装置を表す断面図である。
【００３４】
下部動弁装置３１において、図１に示すように、ケーシング４１は、円筒形状をなし、上下方向（軸方向）に沿う摺動部５１が上下に開口して設けられている。滑り筒４２は、ケーシング４１の摺動部５１に嵌合すると共に、上下方向（軸方向）に沿って移動自在に支持されている。滑り筒４２は、下端部にローラ４５が軸方向に直交する方向に沿う支持軸５２により回転自在に装着されており、滑り筒４２とローラ４５は、一体となって上下方向（軸方向）に沿って移動可能となっている。また、滑り筒４２は、外周面に上下方向（軸方向）に沿うキー溝５３が所定長さにわたって形成されている。一方、ケーシング４１は、水平方向に沿う取付孔５４が形成されており、キー５５がケーシング４１の外部から取付孔５４に嵌合し、先端部が滑り筒４２のキー溝５３に嵌入している。そのため、滑り筒４２は、キー５５によりケーシング４１に対して周方向に回転不能となる。この場合、キー溝５３の長さは、滑り筒４２の最大ストロークより長く形成されている。
【００３５】
ケーシング４１は、上部にシリンダ部４４が一体に固定されている。シリンダ部４４は、上下方向（軸方向）に沿う摺動部５６が下方に開口して設けられている。摺動部５６は、摺動部５１より小径であるが、同心状に設けられている。滑り筒４２は、中心部に上方に向かって延出する突出部５７が設けられ、突出部５７は、上端部に連結部材５８を介してピストン４６が一体に連結されている。ピストン４６は、ケーシング４１の摺動部５６に上下移動自在に嵌合することで、ピストン４６の上方に圧縮室５９が区画される。そのため、滑り筒４２が上昇すると、連結部材５８を介してピストン４６が上昇し、圧縮室５９内の作動油を圧縮することができる。
【００３６】
本実施形態では、作動油を圧縮室５９に供給する第１作動油供給経路と、作動油を潤滑油としてカム４７に供給する第２作動油供給経路とが設けられている。
【００３７】
シリンダ部４４は、側部に作動油供給口（作動油供給部）６１が設けられ、作動油供給口６１は、チャンバ６２に連結されている。また、シリンダ部４４は、上端部に作動油吐出口（作動油吐出部）６３が形成され、作動油吐出口６３と圧縮室５９とが上下方向（軸方向）に沿う第１連結流路６４により連通されている。更に、シリンダ部４４は、シリンダ部４４の中心を通って径方向に沿う第２連結流路６５が第１連結流路６４と交差するように設けられている。第２連結流路６５は、一端部がチャンバ６２に連通し、他端部がシリンダ部４４に上下方向（軸方向）に貫通する油孔６６に連通されている。そして、第２連結流路６５とチャンバ６２との間に逆止弁６７が設けられ、第２連結流路６５と油孔６６との間にリリーフ弁６８が設けられている。逆止弁６７は、圧縮室５９側から作動油供給口６１側への作動油の流れを阻止し、リリーフ弁６８は、圧縮室５９の圧力が所定圧力を超えると開放される。
【００３８】
滑り筒４２は、突出部５７の周囲にばね収容空間部６９が設けられ、圧縮コイルばね４３が収容されている。この圧縮コイルばね４３は、上端部がシリンダ部４４の下面に接触し、下端部が滑り筒４２に接触している。そのため、滑り筒４２は、圧縮コイルばね４３の付勢力によりケーシング４１及びシリンダ部４４に対して下方に付勢支持されている。なお、シリンダ部４４に形成された油孔６６は、下端部がばね収容空間部６９に開放されている。また、滑り筒４２は、ばね収容空間部６９からローラ４５側に貫通するドレン孔７０が形成されている。
【００３９】
そのため、作動油が作動油供給口６１に供給されると、チャンバ６２、逆止弁６７、第２連結流路６５、第１連結流路６４を介して圧縮室５９に供給される。一方、カム４７が回転すると、カム４７の回転力がローラ４５を介して滑り筒４２に往復移動力として伝達される。滑り筒４２が往復移動すると、ピストン４６が同様に往復移動し、ピストン４６の上昇時に圧縮室５９内の作動油を圧縮する。そして、圧縮された作動油が第１連結流路６４から作動油吐出口６３に吐出される。
【００４０】
また、シリンダ部４４は、上端部がチャンバ６２に連通し、下端部が下方に延出してケーシング４１側に開口する第１潤滑油供給孔（上部供給経路）７１が形成されている。一方、ケーシング４１は、下端部がキー５５に形成された連通孔５５ａを介して滑り筒４２のキー溝５３に連通し、上端部が上方に延出してシリンダ部４４側に開口する第２潤滑油供給孔（下部供給経路）７２が形成されている。第１潤滑油供給孔７１は、下端部が第２潤滑油供給孔７２の上端部に連通している。そして、滑り筒４２は、キー溝５３からローラ４５及びカム４７（図８参照）に潤滑油を供給可能となっている。
【００４１】
図２は、下部動弁装置における滑り筒を表す断面図、図３は、滑り筒の右側面図、図４は、滑り筒の左側面図、図５は、滑り筒の水平断面を表す図２のＶ−Ｖ断面図で、図６は、下部動弁装置を表す正面図である。
【００４２】
滑り筒４２は、図２から図５に示すように、潤滑油貯留部８０と、第１潤滑油供給路８１と、第２潤滑油供給路８２とが設けられている。
【００４３】
滑り筒４２は、前述したように、円筒形状をなし、下端部にローラ４５（図１参照）を収容するローラ収容部９１が形成されると共に、ローラ４５の支持軸（図示略）が貫通する支持孔９２が形成されている。この場合、滑り筒４２の中心線Ｏ１が上下方向（軸方向）に沿って設けられ、ローラ４５の軸心線Ｏ２が図２の紙面に直交する方向に沿って設けられており、滑り筒４２の中心線Ｏ１とローラ４５の軸心線Ｏ２がほぼ直交している。なお、ローラ４５の軸心線Ｏ２は、カム４７の軸心線と一致することで、平行をなしている。
【００４４】
また、滑り筒４２は、外周面に上下方向に沿うキー溝５３が滑り筒４２の中心線Ｏ１に沿って形成されている。潤滑油貯留部８０は、滑り筒４２の外周面にて、キー溝５３の長さ（滑り筒４２の中心線Ｏ１方向の長さ）で、周方向に沿って設けられている。即ち、潤滑油貯留部８０は、キー溝５３の周方向に沿う滑り筒４２の外周面を凹ませる凹部として構成される。そのため、滑り筒４２がケーシング４１の摺動部５１に組付けられたとき、滑り筒４２の凹部とケーシング４１の内壁面（摺動部５１）との間に空間部が形成され、この空間部が潤滑油貯留部８０となる。
【００４５】
第１潤滑油供給路８１は、滑り筒４２の外周部に滑り筒４２の中心線Ｏ１に沿って複数（本実施形態では、４つ）設けられる溝部である。第１潤滑油供給路８１は、軸方向の上端部（一端部）が潤滑油貯留部８０に連通し、軸方向の下端部（他端部）が滑り筒４２の下端部の中途部まで延出されている。この４つの第１潤滑油供給路８１は、ローラ４５の軸心線Ｏ２の方向の幅Ｗより外側にずれた位置に設けられている。そして、各第１潤滑油供給路８１は、ローラ４５の軸心線Ｏ２に対して滑り筒４２の径方向の対称位置に設けられている。
【００４６】
即ち、ローラ４５の軸心線Ｏ２を含む平面において軸心線Ｏ２と直交する方向を軸心線Ｏ３と規定すると、各第１潤滑油供給路８１は、軸心線Ｏ３から軸心線Ｏ２側に所定角度θだけずれた位置に形成されている。そして、各第１潤滑油供給路８１の位置は、ローラ４５の軸心線Ｏ２に対して滑り筒４２の径方向の対称位置に形成されると共に、軸心線３に対しても滑り筒４２の径方向の対称位置に形成される。
【００４７】
第２潤滑油供給路８２は、滑り筒４２の外周部に周方向に沿って設けられる円周溝部である。各第１潤滑油供給路８１は、下端部がこの第２潤滑油供給路８２に交差して連通すると共に、より下方まで延出して行き止まりとなっている。
【００４８】
そのため、図１及び図２に示すように、作動油が作動油供給口６１に供給されると、チャンバ６２を介して第２連結流路６５側に供給されると共に、第１潤滑油供給孔７１側に潤滑油として供給される。第１潤滑油供給孔７１側に供給された潤滑油（作動油）は、第２潤滑油供給孔７２からキー溝５３に供給され、キー溝５３に供給された潤滑油は、潤滑油貯留部８０に貯留される。そして、潤滑油貯留部８０に貯留された潤滑油は、各第１潤滑油供給路８１から第２潤滑油供給路８２に供給されてローラ４５及びカム４７に供給される。
【００４９】
ここで、上述した作動油を圧縮室５９に供給する第１作動油供給経路は、作動油供給口６１、チャンバ６２、第２連結流路６５、第１連結流路６４により構成されている。一方、作動油を潤滑油としてカム４７に供給する第２作動油供給経路は、ケーシング４１における作動油供給経路に接続され、このケーシング４１における作動油供給経路は、ケーシング４１に軸方向に沿って設けられて上端部がケーシング４１側に開口すると共に、下端部がカム４７に向けて開口するように形成されている。即ち、第２作動油供給経路は、作動油供給口６１、チャンバ６２、第１潤滑油供給孔７１、第２潤滑油供給孔７２、キー５５、キー溝５３、潤滑油貯留部８０、第１潤滑油供給路８１、第２潤滑油供給路８２により構成される。
【００５０】
また、図６に示すように、下部ケーシング４１及びシリンダ部４４は、カム軸箱１０１の上部に並んで固定されている。このカム軸箱１０１は、側面にカム４７（図１参照）やカム軸（図示略）などをメンテナンスするためのメンテナンス用開口部１０２が各下部ケーシング４１及びシリンダ部４４に対応して設けられており、開閉蓋１０３により閉止されている。また、作動油を供給するための作動油供給配管１０４は、カム軸箱１０１の側方であって、各下部ケーシング４１及びシリンダ部４４が配列される水平方向に沿って配置されている。そして、作動油供給配管１０４は、軸方向に沿う供給管及びこの供給管から各シリンダ府４４に作動油を分岐させる各分岐管１０５を介して各シリンダ部４４の作動油供給口６１に連結されている。この場合、作動油供給配管１０４は、各メンテナンス用開口部１０２より上方に配置されることで、カム４７やカム軸などのメンテナンス作業に邪魔となることはない。
【００５１】
このように本実施形態の動弁装置にあっては、ケーシング４１及びシリンダ部４４と、ケーシング４１に移動自在に支持される滑り筒４２と、滑り筒４２の上端部に連結されるピストン４６と、滑り筒４２の下端部のローラ４５に作用して滑り筒４２を移動させるカム４７と、ピストン４６の移動により作動油を圧縮する圧縮室５９と、シリンダ部４４に設けられる作動油供給口６１と、作動油供給口６１から圧縮室５９に作動油の一部を供給する第１作動油供給経路と、作動油供給口６１からカム４７に残りの作動油を供給する第２作動油供給経路とを設けている。
【００５２】
従って、一つの作動油供給口６１から圧縮室５９に作動油を供給可能であると共に、カム４７に作動油としての潤滑油を供給可能となり、作動油供給口６１への作動油供給配管１０４などの配管構成が簡素化され、また、ケーシング４１及びシリンダ部４４に対する油路の加工も簡素化され、その結果、構造の簡素化を図ることができる。
【００５３】
本実施形態の動弁装置では、下部ケーシング４１及びシリンダ部４４をカム軸箱１０１の上部に固定し、カム軸箱１０１の側面にカム４７をメンテナンスするためのメンテナンス用開口部１０２を設け、作動油供給口６１に作動油を供給するための作動油供給配管１０４をメンテナンス用開口部１０２より上方に配置している。従って、作動油供給配管１０４がメンテナンス用開口部１０２からカム４７のメンテナンス作業を実施する作業者の邪魔になることはなく、作業性を向上することができる。
【００５４】
本実施形態の動弁装置では、作動油供給口６１から圧縮室５９に接続される第２連結流路６５に逆止弁６７を設けている。従って、作動油が作動油供給口６１から第２連結流路６５を通して圧縮室５９に供給され、ピストン４６の上昇時に圧縮室５９で作動油が圧縮され、作動油吐出口６３から吐出される。このとき、逆止弁６７により圧縮室５９で圧縮された作動油が作動油供給口６１に逆流することはなく、作動油吐出口６３から適正に吐出させることができる。
【００５５】
本実施形態の動弁装置では、第２作動油供給経路として、シリンダ部４４に第１作動油供給孔７１を設けると共に、ケーシング４１に第２作動油供給孔７２を設けている。従って、ケーシング７１及びシリンダ部４４に形成する供給経路を簡素化することができる。
【００５６】
本実施形態の動弁装置では、滑り筒４２の外周面にキー溝５３を設け、ケーシング４１に固定されたキー５５をキー溝５３に挿入し、キー溝５３及びキー５５内に設けられた連通溝５５ａを第２作動油供給経路として構成している。従って、ケーシング４１に固定されたキー５５を滑り筒４２のキー溝５３に挿入することで、容易に滑り筒４２の回り止めを行うことができ、第２作動油供給経路としてキー溝５３及びキー５５内の連通溝５５ａを設けることで、構造を簡素化することができる。
【００５７】
また、本実施形態のクロスヘッド式内燃機関にあっては、下部動弁装置３１と、下部動弁装置３１からの作動油により排気弁２０を駆動する上部動弁装置３２とを設けている。従って、下部動弁装置３１の作動時に、作動油を圧縮室５９に供給することができると共に、カム１７に対して潤滑油を供給することができる。そして、一つの作動油供給口６１から圧縮室５９に作動油を供給可能であると共に、カム４７に作動油としての潤滑油を供給可能となり、作動油供給口６１への作動油供給配管１０４などの配管構成が簡素化され、また、ケーシング４１及びシリンダ部４４に対する油路の加工も簡素化され、その結果、構造の簡素化を図ることができると共に、動弁装置２１の信頼性を向上することができる。
【符号の説明】
【００５８】
１０  ディーゼルエンジン（クロスヘッド式内燃機関）
１１  台板
１２  架構
１３  シリンダジャケット
１８  ピストン
１９  燃焼室
２０  排気弁
２１  動弁装置
３１  下部動弁装置
３２  上部動弁装置
４１  ケーシング（装置本体）
４２  滑り筒
４３  圧縮コイルばね
４４  シリンダ部（装置本体）
４５  ローラ（ローラ部）
４６  ピストン
４７  カム
４８  作動油配管
５３  キー溝（第２作動油供給経路）
５５  キー（第２作動油供給経路）
５９  圧縮室
６１  作動油供給口（第１作動油供給経路、第２作動油供給経路）
６２  チャンバ（第１作動油供給経路、第２作動油供給経路）
６３  作動油吐出口
６４  第１連結流路（第１作動油供給経路）
６５  第２連結流路（第１作動油供給経路）
６７  逆止弁
７１  第１潤滑油供給孔（第２作動油供給経路、上部供給経路）
７２  第２潤滑油供給孔（第２作動油供給経路、下部供給経路）
８０  潤滑油貯留部（第２作動油供給経路）
８１  第１潤滑油供給路（第２作動油供給経路）
８２  第２潤滑油供給路（第２作動油供給経路）
１０１  カム軸箱
１０２  メンテナンス用開口部
１０３  開閉蓋
１０４  作動油供給配管
【図１】
0006703868.tif 000002
【図２】
0006703868.tif 000003
【図３】
0006703868.tif 000004
【図４】
0006703868.tif 000005
【図５】
0006703868.tif 000006
【図６】
0006703868.tif 000007
【図７】
0006703868.tif 000008
【図８】
0006703868.tif 000009